(57)【要約】  トレーサビリティを有することによって不正を抑止する紙幣を収納する収納部（４１５）を有する紙幣カセット（１０７）と、収納する紙幣の情報を記憶する第１の記憶部（４０６）と、紙幣カセットと通信を行う第１の通信部（４０８）と、第１の通信部と第１の記憶部とを制御する第１の制御部（４０１）と、を備えた現金自動取引装置であって、紙幣カセットは、第１の通信部および外部装置と通信する第２の通信部（４１３）と、収納部に紙幣を収納する際に第２の通信部を介して外部装置から受信した収納部に収納された紙幣の固有情報および紙幣の収納順序をカセット管理情報（３０１）として記憶する第２の記憶部（１０８）と、紙幣カセットを制御する第２の制御部（４１２）とを有し、紙幣カセットを設置する際、第１の制御部は第１の通信部を介して第２の制御部からカセット管理情報を受信する構成からなる現金自動取引装置、紙幣カセット、及び、紙幣管理システム。
2015114746.tif 000002
【特許請求の範囲】
【請求項１】
紙幣を収納する収納部を有する紙幣カセットと、収納する紙幣の情報を記憶する第１の記憶部と、前記紙幣カセットと通信を行う第１の通信部と、前記第１の通信部と前記第１の記憶部とを制御する第１の制御部と、を備え、
前記紙幣カセットは、前記第１の通信部および外部装置と通信する第２の通信部と、前記収納部に前記紙幣を収納する際に前記第２の通信部を介して前記外部装置から受信した前記収納部に収納された紙幣の前記固有情報および前記紙幣の収納順序をカセット管理情報として記憶する第２の記憶部と、前記紙幣カセットを制御する第２の制御部とを有し、
前記紙幣カセットを設置する際、前記第１の制御部は前記第１の通信部を介して前記第２の制御部から前記カセット管理情報を受信することを特徴とする現金自動取引装置。
【請求項２】
請求項１に記載の現金自動取引装置であって、
前記紙幣カセットは、前記収納部の開閉を検知する開閉検知部を有し、
前記カセット管理情報は、前記紙幣カセットの開閉を含む当該紙幣カセットに発生した状態遷移情報と前記紙幣カセットを搬送する者の識別情報とを含み、
前記第１の制御部は、前記第１の通信部を介して前記外部装置から受信した前記識別情報を前記第１の記憶部に記憶し、
前記紙幣カセットを設置する際、前記第１の制御部は、前記状態遷移情報を参照し、カセット開閉の有無と、前記第１の記憶部及び第２の記憶部に記憶された前記識別情報とを照合することを特徴とする現金自動取引装置。
【請求項３】
請求項２に記載の現金自動取引装置であって、
係員への操作案内の表示と前記係員からの入力を受け付ける係員表示入力部と、
前記紙幣カセットから繰り出される紙幣を鑑別する鑑別部と、を備え、
前記第１の制御部は、受信した前記カセット管理情報と、取引内容と、取引を行った者の情報とを対応づけ、取引毎に更新される紙幣管理情報を前記第１の記憶部に記憶し、
前記係員表示入力部より前記紙幣カセットの内容を確認する精査入力がされた場合、前記第１の制御部は、前記第２の制御部に前記紙幣カセットより収納された紙幣を繰り出させ、前記繰り出させた紙幣を前記鑑別部に鑑別させ、前記紙幣管理情報と前記鑑別した紙幣の情報を照合し、前記鑑別した紙幣が前記紙幣カセットに収納されている紙幣か否か、または、前記鑑別した紙幣の収納順番が異なっているか、少なくともいずれか１つを判別することを特徴とする現金自動取引装置。
【請求項４】
請求項３に記載の現金自動取引装置であって、
前記鑑別した紙幣がカセットに収納されていない紙幣である場合または収納順番が異なっているかの少なくともいずれか１つを判別した場合、前記第１の制御部は、前記第２の制御部に前記状態遷移情報を送信させ前記収納部の開閉を確認し、前記収納部の開閉が確認された場合、前記収納部の開閉に関する情報を前記係員表示入力部に表示させることを特徴とする現金自動取引装置。
【請求項５】
請求項２〜４のいずれか１つに記載の現金自動取引装置であって、
前記第１の制御部は、当該現金自動取引装置の起動の際に前記第１の通信部を介して、前記状態遷移情報を取得し、前記収納部が開閉されている場合は、前記係員表示入力部に警告画面を表示させることを特徴とする現金自動取引装置。
【請求項６】
請求項３〜５のいずれか１つに記載の現金自動取引装置であって、
前記紙幣カセットに収納された紙幣を出金する際に、前記第１の制御部は、前記格納紙幣管理情報から予め出金する枚数分の情報を取り出し、出金候補情報を作成し、
前記鑑別部により鑑別された出金する紙幣の情報と、前記出金候補情報とを照合し、前記出金候補情報のいずれにもない場合は、混在された紙幣と判断して混在紙幣情報を作成し、前記出金候補情報には該当するが格納順序ではない場合、出金候補の中に紛失した紙幣があると判断し紛失紙幣情報を作成し、前記第１の通信部を介して前記混在紙幣情報または前記紛失紙幣情報を前記外部装置に送信する事を特徴とする現金自動取引装置。
【請求項７】
請求項６に記載の現金自動取引装置であって、
前記鑑別部により出金不能と判別された紙幣を収納するリジェクト庫を備え、
前記第１の制御部は、前記混在された紙幣と判断された紙幣を前記リジェクト庫に格納させ、前記紙幣カセットに収納された次の紙幣を繰り出し取引を継続させることを特徴とする現金自動取引装置。
【請求項８】
請求項６に記載の現金自動取引装置であって、
前記混在紙幣と判断された場合、前記第１の制御部は、前記混在紙幣をリジェクトボックスに搬送させ、当該取引処理は不成立として当該紙幣カセットを用いた取引を実施しないように当該紙幣カセットを縮退させる、または、当該装置の取引を継続させないよう停止処理の実施のうち少なくともいずれか一方の処理を実施することを特徴とする現金自動取引装置。
【請求項９】
請求項６に記載の現金自動取引装置であって、
前記第１の制御部は、所定のタイミングで、前記第１の記憶部に記憶された情報を前記第１の通信部を介して前記第２の記憶部に送信することを特徴とする現金自動取引装置。
【請求項１０】
紙幣を収納する収納部と、
収納する紙幣の情報を記憶する記憶部と、
複数の外部装置と通信を行う通信部と、
前記記憶部と前記通信部とを制御する制御部と、を備え、
前記収納部に紙幣を収納する際、前記制御部は、前記収納部に収納する紙幣の固有情報および収納順序をカセット管理情報として前記通信部を介して一の前記外部装置から受信し、前記記憶部に記憶させることを特徴とする紙幣カセット。
【請求項１１】
請求項１０に記載の紙幣カセットであって、
前記収納部の開閉を検知する開閉検知部を備え、
前記カセット管理情報は、前記収納部の開閉を含む当該紙幣カセットに発生した状態遷移情報を含み、
前記開閉検知部が開閉を検知した場合、前記制御部は前記記憶部に記憶した前記状態遷移情報に開閉されたことを示す情報を記憶し、前記通信部を介して送信された他の前記外部装置の要求に応じて、前記状態遷移情報を送信することを特徴とする紙幣カセット。
【請求項１２】
請求項１１に記載の紙幣カセットであって、
前記他の外部装置の要求とは、前記外部装置が起動したとき、前記他の外部装置から出金指示を受信したとき、または、前記他の外部装置から精査指示を受信したときのうち少なくとも１つであることを特徴とする紙幣カセット。
【請求項１３】
紙幣を収納する収納部と、収納する紙幣の情報を記憶する記憶部と、他の装置と通信する通信部とを有する紙幣カセットと、
前記紙幣カセットに格納する紙幣を鑑別する鑑別部を有し、鑑別した紙幣を前記紙幣カセットに収納させる紙幣取扱装置と、を備え、
前記紙幣取扱装置は、前記紙幣カセットに紙幣を収納する際、前記鑑別部を用いて前記紙幣カセットに収納する紙幣の固有情報を読み取り、読み取った前記紙幣の固有情報と前記紙幣カセットに収納する順番をカセット管理情報として前記通信部を介して前記記憶部に記憶させることを特徴とする紙幣管理システム。
【請求項１４】
請求項１３に記載の紙幣管理システムであって、
前記紙幣カセットを搭載し、顧客との間で紙幣の取引を行う現金自動取引装置を備え、
前記紙幣カセットは、前記現金自動取引装置にセットされた際、前記カセット管理情報を前記通信部を介して前記現金自動取引装置に送信することを特徴とする紙幣管理システム。
【請求項１５】
請求項１４に記載の紙幣管理システムであって、
前記紙幣カセットは、前記収納部の開閉を検知する開閉検知部を備え、前記カセット管理情報は、前記収納部の開閉を含む当該紙幣カセットに発生した状態遷移情報を含み、
前記開閉検知部が開閉を検知した場合、前記紙幣カセットは前記記憶部に記憶した前記状態遷移情報に開閉されたことを示す情報を記憶し、
前記通信部を介して送信された他の前記現金自動取引装置の要求に応じて、前記状態遷移情報を送信することを特徴とする紙幣管理システム。
【発明の詳細な説明】
【技術分野】
【０００１】
本発明は、現金自動取引装置、現金自動取引装置に使われる紙幣カセット、それらを用いた紙幣管理システムに関する。
【背景技術】
【０００２】
銀行のＣＤ（Ｃａｓｈ Ｄｅｓｐｅｎｓｅｒ：現金自動支払機）やＡＴＭ（Ａｕｔｏｍａｔｅｄ Ｔｅｌｌｅｒ Ｍａｃｈｉｎｅ：現金自動預払機）に現金を装填するのは警送会社に委託される場合が多く、そのほとんどが少人数で実行される。車内という閉ざされた場所で運搬されるので、紙幣カセット（以下、カセット）を不正に開けられ、カセット内部の紙幣が抜き取られる、カセット内の真札を偽札と交換されることが起こりうる。また、ＣＤ、ＡＴＭにカセットがセットされ、運営が開始されても、電源が落とされた夜間に、職員が不正にカセットを開け、上記のような不正が行われることも考えられる。これら不正を防止すること、さらに不正が行われても早期に検知することが可能な紙幣管理が必要である。【０００３】
本技術分野の背景技術として、特開平１０−９７６８０号公報（特許文献１）がある。この公報には、「現金を最大で第１容量まで収納可能なもので収納される現金の在高に関するデータを記憶する記憶手段を有する第１現金収納カセットと、現金を最大で第１容量より少ない第２容量まで収納可能なもので収納される現金の在高に関するデータを記憶する記憶手段を有する第２現金収納カセットと、現金を最大で第２容量より少ない第３容量まで収納可能なもので収納される現金の在高に関するデータを記憶する記憶手段を有する第３現金収納カセットとを具備し、複数の現金処理装置間にて現金の移動を行う際に、移動する現金の量に応じて前記第１、第２、又は第３現金収納カセットを用いて現金の移動を行う。」と記載されている（要約参照）。
【先行技術文献】
【特許文献】
【０００４】
【特許文献１】特開平１０−９７６８０号公報
【発明の概要】
【発明が解決しようとする課題】
【０００５】
前記特許文献１では、現金の受け渡し処理の際に、カセットに搬送先データや開閉検知記録をさせ、その記録をチェックすることで確実な現金移動を行っている。しかし、前記特許文献１ではカセットに格納された紙幣の金種や枚数は記憶されているが紙幣の番号まで記憶されていないため、紙幣がすりかえられても検知する手段は述べられていない。特に、ＡＴＭにカセットを設置した後（ＡＴＭの運用中）にカセットが開けられた場合の処理については何も記載されてはいない。【０００６】
本発明の目的は、カセットが自己に格納された紙幣の番号を記憶し、ＡＴＭにその情報をコピーし、取引毎にユーザと番号を管理することによって紙幣のトレーサビリティを有し、紙幣カセット運用に関してのセキュリティを強化することにある。
【課題を解決するための手段】
【０００７】
上記課題を解決するために、本発明は、紙幣を収納する収納部を有する紙幣カセットと、収納する紙幣の情報を記憶する第１の記憶部と、紙幣カセットと通信を行う第１の通信部と、第１の通信部と第１の記憶部とを制御する第１の制御部と、を備え、紙幣カセットは、第１の通信部および外部装置と通信する第２の通信部と、収納部に紙幣を収納する際に第２の通信部を介して外部装置から受信した収納部に収納された紙幣の固有情報および紙幣の収納順序をカセット管理情報として記憶する第２の記憶部と、紙幣カセットを制御する第２の制御部とを有し、紙幣カセットを設置する際、第１の制御部は第１の通信部を介して第２の制御部からカセット管理情報を受信する。
【発明の効果】
【０００８】
本発明によれば、不正を検知し、セキュリティを強化させた紙幣カセットの運用を行うことができる。特に、ＡＴＭの運用中にカセットを不正に開けられたことを検知するため、セキュリティが高い。
【図面の簡単な説明】
【０００９】
【図１】情報システムセンタ１１０、現金センタ１０１、支店１０２から構成されるシステム構成を説明するブロック図である。
【図２】ソータ１０３とインテリカセット１０７の構成を説明するブロック図である。
【図３】インテリカセット１０７内に記憶する各種テーブルを示す図である。
【図４】ＡＴＭ１０９の構成を説明するブロック図である。
【図５】赤外線感知センサ３１４について説明する図である。
【図６】インテリカセット１０７に使用された赤外線感知センサ３１４について説明する図である。
【図７】インテリカセット１０７が開けられたことを検知する処理を説明するフローチャートである。
【図８】インテリカセット１０７をＡＴＭ１０９にセットする処理を説明するフローチャートである。
【図９】ＡＴＭ１０９が記憶するカセット管理テーブルを説明する図である。
【図１０】セットした直後の入出金紙幣管理テーブルを説明する図である。
【図１１】３枚出金、２枚入金、３枚出金取引後の入出金紙幣管理テーブルを説明する図である。
【図１２】３枚出金、２枚入金取引後の出金される順番を示す格納紙幣管理テーブルを説明する図である。
【図１３】ＡＴＭ１０９の自動精査処理を説明するフローチャートである。
【図１４】インテリカセット１０７内に非接触ＩＣカードＲＷ４２０を有するＡＴＭ１０９の構成を説明するブロック図である。
【図１５】インテリカセット開検知の処理を説明するフローチャートである。
【図１６】カセット状態遷移テーブル３０２を説明する図である。
【図１７】ＡＴＭ立上げ時のカセットチェック処理を説明するフローチャートである。
【図１８】出金処理を説明するフローチャートである。
【発明を実施するための形態】
【００１０】
以下、本発明の実施形態の例を図面を用いて説明する。
【実施例１】
【００１１】
本実施例では、紙幣カセットに記録媒体（本実施例ではＲＦＩＤとする）を持たせ、どの銀行のカセットであるか、どのＡＴＭにセットすべきか、誰が運搬すべきカセットであるか、などの情報を紙幣カセットに記憶させることで、セキュリティを確保した運営を行うシステムについて説明する。
Ａ．システム全体
図１は、本実施例のシステム全体を説明するブロック図である。金融機関用の現金についての装填・回収を行う現金センタ１０１、エンドユーザ（顧客）との間で現金の受け渡しを行う支店１０２（例えば金融機関の営業店など）、支店１０２に設置されたＡＴＭ１０９から運用情報（詳細は後述する）を受け取る情報システムセンタ１１０から構成される。【００１２】
現金センタ１０１は、紙幣を鑑別し、紙幣を特定する固有番号（以降、記番号とする）や金種を読み取りメモリ１０４に記憶するソータ１０３、ソータ１０３から排出される紙幣１０６、その紙幣１０６を格納し、金種や記番号等を記憶させるＲＦＩＤ１０８を有するインテリカセット１０７、ソータ１０３とインテリカセット１０７との間の情報を制御するＰＣ１０５から構成される。ＰＣ１０５は、例えば、インテリカセット１０７に紙幣１０６を格納する際に、メモリ１０４に記憶された情報をＲＦＩＤ１０８に記憶させるために用いる。その方法については後述する。なお、本実施例で用いる紙幣カセットはＲＦＩＤ１０８に各種情報を持たせているため、通常の紙幣カセットと区別するためにインテリカセットと呼ぶこととする。また、ＰＣ１０５とソータ１０３は１つの装置であってもよい。【００１３】
紙幣１０６が格納されたインテリカセット１０７はＣＩＴ（Ｃａｓｈ Ｉｎ Ｔｒａｎｓｉｔ:警送会社）の職員（以下、ＣＩＴ職員とする）により現金センタ１０１から持ち出され支店１０２に搬送される。その後、ＣＩＴ職員により支店１０２にあるＡＴＭ１０９にセットされ、インテリカセット１０７はエンドユーザとの間で紙幣１０６の入出金取引を実施する。ある程度運用すれば、インテリカセット１０７は再びＣＩＴ職員により現金センタ１０１に回収される。【００１４】
また、ＡＴＭ１０９の運用中に異常が起こった場合は、ＡＴＭ１０９からネットワークを介して情報システムセンタ１１０に報告が上がる。例えば、ＡＴＭ１０９の運用中にカセットにあるべき紙幣が紛失したり、あるはずのない紙幣が混在していることが判明した場合、各支店に設置されたＡＴＭ１０９から異常を示す情報が情報システムセンタ１１０に送信される。
Ｂ．ソータ１０３の動作
次に、現金センタ１０１にあるソータ１０３からインテリカセット１０７に紙幣１０６や金種や記番号等の情報を格納する処理について図２を用いて説明する。図２は、現金センタ１０１内の各装置のブロック図を説明する図面である。【００１５】
ソータ１０３は、オペレータから紙幣の投入を受ける紙幣投入口２０１、投入された紙幣を装置内の各部に搬送する搬送部２０２、投入された紙幣の真偽・金種・枚数を鑑別する鑑別部２０３、鑑別部により鑑別された紙幣を金種毎に振り分けて搬送するための切替ゲート２０４、切替ゲート２０４により振り分けられた紙幣を金種毎に保留するスタッカ２０５〜２０７、インテリカセット１０７へ紙幣を繰り出す場合に各スタッカ２０５〜２０７へ搬送路を切り替える切替ゲート２０８、それらを制御する制御部２０９、制御プログラムや紙幣の情報を記憶するメモリ１０４、を備えている。なお、図２の実線は搬送部２０２の搬送路をしめし、破線は制御部２０９が送受信する制御信号の信号線を示している。【００１６】
次に、ソータ１０３からインテリカセット１０７に紙幣を装填する際の処理についてステップ毎に説明する。
ステップ１：ソータ１０３は、紙幣投入口２０１に現金センタ１０１のオペレータによりインテリカセット１０７に装填する紙幣１０６がセットされるまで待機する。
ステップ２：制御部２０９は、紙幣１０６がセットされたことを検知すると、紙幣１０６を紙幣投入口２０１から搬送部２０２を経由して鑑別部２０３に搬送させる。鑑別部２０３は搬送された紙幣１０６の金種等の特定と、記番号を認識する。
ステップ３：制御部２０９は、鑑別した紙幣１０６を金種に応じてスタッカ２０５〜２０７のいずれかに搬送可能なように切替ゲート２０４に指示をする。また、制御部２０９は、鑑別した紙幣１０６の記番号をメモリ１０４に記憶する。【００１７】
ステップ４：制御部２０９は、いずれかのスタッカ（２０５〜２０７）の紙幣１０６をインテリカセット１０７に装填するかを切替ゲート２０８及び出金すべきスタッカ２０５〜２０７のいずれか１つに指示し、インテリカセット１０７に紙幣を装填する。
ステップ５：制御部２０９は、図示しない通信インターフェースを経由してＰＣ１０５と通信し、メモリ１０４内に記憶されている金種、枚数、記番号の他、搬送先の銀行ＩＤ、インテリカセット１０７をセットするＡＴＭＩＤの情報をＰＣ１０５に転送する。【００１８】
ステップ６：ＰＣ１０５は操作するオペレータの入力によりソータ１０３からの情報に基づいてこのインテリカセット１０７をどの銀行のどのＡＴＭ１０９にセットするかを決定し、その後、ＰＣ１０５に接続された非接触ＩＣカードリーダライタ２１０を介して、金種、枚数、記番号の他、搬送先の銀行ＩＤ、そのインテリカセット１０７をセットするＡＴＭＩＤをインテリカセット１０７が備えるＲＦＩＤ１０８に書き込む。【００１９】
なお本実施例では、このインテリカセット１０７をＣＩＴ職員の誰が搬送するのかを予め決めておく。また、搬送するＣＩＴ職員一人ずつにモバイル端末２１１を持たせることとする。現金センタ１０１には、ＣＩＴ職員に持たせるモバイル端末２１１を用意し、職員が出勤する前にモバイル端末２１１に職員のＩＤを書き込み、どの職員がどのモバイル端末２１１を所有するのかを決めておく。ＰＣ１０５はインテリカセット１０７を運搬するＣＩＴ職員が持つモバイル端末２１１と通信し、ＣＩＴ職員のＩＤを読んだ後、ＣＩＴ職員の情報をＲＦＩＤ１０８に書き込む。【００２０】
さらに紙幣の装填、及び装填情報を記録した後、ＲＦＩＤ１０８に存在するカセット状態遷移テーブル３０２（詳細は後述する）に「現金装填」というイベントが起こったこと、その日時、操作した人のＩＤ（操作人ＩＤ）を書きこむ。なお、モバイル端末２１１とＰＣ１０５の通信は、非接触ＩＣカードＲＷ２１０を用いてもよいし、別の通信手段を用いてもよい。【００２１】
次に、インテリカセット１０７をＣＩＴ職員に渡すときの処理を説明する。予め現金センタ１０１には、複数のモバイル端末２１１を用意しておき、各モバイル端末２１１を利用するＣＩＴ職員のＩＤを書き込んでおく。さらに、外部から分かり易いように、ＣＩＴ職員の氏名を書いたメモを貼っておくこととする。
ステップ１１：モバイル端末２１１は、自分が利用するモバイル端末２１１を目視により発見したＣＩＴ職員により近付けられた非接触ＩＣカード（ＣＩＴ職員が所有しており、自己のＩＤが格納されている）と通信を行う。
ステップ１２：モバイル端末２１１は、記憶エリアにあるＣＩＴＩＤと通信より取得した上記カードのＩＤが一致することを確認する。さらに、管理者がＣＩＴ職員が自分の所有すべきモバイル端末２１１を見つけたことを確認し、それを持参することを許可するとしてもよい。【００２２】
ステップ１３：次に、インテリカセット１０７は、カセットの外部にＣＩＴ職員の氏名が書かれたメモが貼られた状態で自分の名前を確認したＣＩＴ職員によりＲＦＩＤ１０８に近づけられたモバイル端末２１１と通信を行う。
ステップ１４：インテリカセット１０７はモバイル端末２１１に書き込まれたＣＩＴＩＤとＲＦＩＤ１０８に書き込まれたＣＩＴＩＤが一致することを確認する。
ステップ１５：インテリカセット１０７はＲＦＩＤ１０８内にあるカセット状態遷移テーブル３０２（詳細は図３にて説明する）のイベントに「カセット渡」、発生日時、操作した人のＩＤとして、ＣＩＴのＩＤ、カセット固有情報３０１の機器認証結果に「ＯＫ」を書き込む。なお、機器認証結果の初期値としては「ＮＧ」を書き込んでおくことにする。【００２３】
このとき、ＣＩＴ職員が故意または間違えて他人のインテリカセット１０７を運搬することも考えられる。誤搬送を防止するために、インテリカセット１０７に外部から見える場所にＬＥＤ４１９を設け、初期状態は無灯にして、ステップ１５で指定されたＣＩＴ職員のＩＤを確認できれば、ＬＥＤ４１９を緑色に点灯させ、他のＣＩＴＩＤを認識すれば、赤色を点灯させてもよい。そうすれば、ＣＩＴ職員がインテリカセット１０７を間違えて現金センタ１０１から持出そうとしたとき、管理者は外観のＬＥＤ４１９のランプの色からそれを検知することができる。【００２４】
次にインテリカセット１０７が有するＲＦＩＤ１０８内に記憶されている情報について図３を用いて説明する。カセット固有情報３０１は、どの銀行が所有するインテリカセット１０７かを示す銀行ＩＤ、どのＡＴＭ１０９にセットするのかを示すＡＴＭＩＤ、どのＣＩＴ職員が運搬、操作するのかを示すＣＩＴＩＤ、正しいＣＩＴ職員に渡したことを示す機器認証結果から構成される。【００２５】
カセット状態遷移テーブル３０２は、どのようなイベント（状態遷移）が発生したかを示すイベント、イベントが発生した発生日時、イベント発生時にインテリカセット１０７を操作した人を示すＩＤ（操作人ＩＤ）、どのＡＴＭ１０９にセットしたかまたはどのＡＴＭ１０９から取り出したかを示すＡＴＭＩＤから構成される。図３に示す例では、２０１３年１０月１０日９時３０分にＡ１がインテリカセット１０７に現金を装填し、９時４５分にＡ２にインテリカセット１０７が渡され、１０時３０分に何者かによってインテリカセット１０７を開けられ、１１時３０分にＡ２によって「ＡＴＭ００１」というＩＤを持つＡＴＭ１０９にこのインテリカセット１０７がセットされ、１０月２０日８時３０分にＡ３によって「ＡＴＭ００１」というＡＴＭ１０９からこのインテリカセット１０７が取り出されたことを示している。【００２６】
カセット内紙幣記番号テーブル３０３には、インテリカセット１０７に装填された金種、枚数、全ての紙幣の記番号が装填された順番に対応づけられて記憶されている。図３に示す例では、１００ドルの紙幣が１０００枚格納され、１０００枚の紙幣の記番号を収納順に記憶されていることを示している。なお、カセット固有情報３０１、カセット状態遷移テーブル３０２、カセット内紙幣記番号テーブル３０３を合わせてカセット管理情報と呼んでもよい。
Ｃ．ＡＴＭ１０９の動作（装填時）
次に、インテリカセット１０７をＡＴＭ１０９に装填した際の動作について説明する。インテリカセット１０７が搭載されるＡＴＭ１０９のブロック図を図４に示す。ＡＴＭ１０９は、装置内の紙幣処理を実行する紙幣処理部４０２、インテリカセット１０７、エンドユーザとの紙幣の受け渡しを行う入出金口４０３、出金紙幣が鑑別できなかった場合または複数毎を繰り出したために出金不能と鑑別された紙幣を格納するリジェクトボックス４０４、銀行員、ＣＩＴ職員または保守員がＡＴＭ１０９を操作する場合に操作入力をする背面パネル４０５、プログラムや操作ログ情報、取引ログ情報等を記憶するハードディスク４０６、これらを制御するＡＴＭ制御部４０１から構成される。ハードディスク４０６には、さらに、カセット管理テーブル９０１、入出金紙幣管理テーブル１００１、格納紙幣管理テーブル１２０１、初期設定の際に現金センタ１０１や情報システムセンタから送信された銀行ＩＤやＡＴＭＩＤが記憶されている。【００２７】
また、紙幣処理部４０２には、ＡＴＭ１０９内の紙幣を搬送する搬送路４０９、ＡＴＭ制御部４０１とインテリカセットと通信する通信部４０８、紙幣を鑑別する鑑別部４１０、紙幣を一時的に保留するスタッカ４１１、紙幣処理部４０２を制御する制御部４０７が備えられている。なお、図４ではインテリカセット１０７が１つの例を説明しているが、図１に示すようにカセットが複数あってもよいことはいうまでもない。【００２８】
インテリカセット１０７は、カセット固有情報３０１等を記憶するＲＦＩＤ１０８の他、紙幣処理部４０２と通信する通信部４１３、カセットのふたが開けられたことを検知する赤外線感知センサ４１４、紙幣を格納する紙幣格納部４１５、紙幣１０６をインテリカセット１０７内から紙幣処理部４０２に搬送する搬送部４１６、インテリカセット１０７がＡＴＭ１０９にセットされたことを検知するセット検知センサ４１７、ＡＴＭ１０９にセットされる前にインテリカセット１０７内に電源を供給する充電電池４１８、正しいＣＩＴ職員に引き渡されたことを示すＬＥＤ４１９、及びこれらを制御するカセット制御部４１２から構成される。なお、インテリカセット１０７がＡＴＭ１０９にセットされた後は、充電電池４１８はＡＴＭ１０９から電力供給により充電される。なお、ＲＦＩＤ１０８は非接触ＩＣカードと通信を行うため通信部としての機能を有しており、通信部４０８と合わせて通信部とも表現をすることもできる。【００２９】
ところで、インテリカセット１０７は搬送中に不正の目的でふたを開けられ、紙幣格納部４１５に格納された紙幣にアクセスされる危険性がある。この場合、開けられたことを検知し、開けられた日時を記憶しておけば、後に誰が開けたかを調査可能となり不正を防止する抑止力がある。図５、図６を用いてインテリカセット１０７が開けられたこと検知する方法について説明する。赤外線感知センサの機構を図５に、インテリカセット１０７のふたが閉まった状態と開いた状態を図６に示す。【００３０】
赤外線感知センサ３１４は赤外発光部５０１と赤外受光部５０２を備え、赤外発行部５０１から出た赤外線を赤外受光部５０２が受光することでセンサとして機能する。インテリカセット１０７のふた側に遮光部５０３を付け、ふたが閉まっている状態では遮光部５０３が赤外線を遮断するため赤外受光部５０２には到達せず、ふたが開いた状態では、遮光部５０３が赤外線を遮断しないため赤外受光部５０２に赤外線が到達し、ふたが開いたことを検知することができる。【００３１】
図７はインテリカセット１０７のふたが開けられたことを検知するフローチャートである。このフローチャートを用いて、ふたの開閉検知の処理動作について説明する。
ステップ７０１：インテリカセット１０７は、開けられたことを検知するまでループしながらカセット開のイベントを待つ。インテリカセット１０７は、開けられたことを検知すれば、ステップ７０２に進む。
ステップ７０２：インテリカセット１０７は、ＲＦＩＤ１０８内にあるカセット状態遷移テーブル３０２にイベント＝「カセット開」、発生日時、操作人ＩＤ＝空白（誰か不明のため）、ＡＴＭＩＤ＝「−」（ＡＴＭ１０９にセットされる前であるため）を書き込み、ＲＦＩＤ１０８内にあるカセット固有情報３０１の機器認証結果＝「ＮＧ」を書き込む。
ステップ７０３：インテリカセット１０７は、ＲＦＩＤ１０８内にあるカセット固有情報エリア３０１の機器認証結果＝「ＮＧ」を書き込む。【００３２】
なお、このインテリカセット１０７のふたが開けられたことを検知する処理動作はインテリカセット１０７がＡＴＭにセットされた後（ＡＴＭの運用中）であっても動作する。ＡＴＭにセットされた後に銀行員等によって格納された紙幣の不正アクセスを防止するためである。【００３３】
次にＣＩＴ職員によってインテリカセット１０７が支店１０２に到着し、指定されたＡＴＭ１０９にセットする手順を図８を用いて説明する。ＡＴＭ１０９にセットするのはＣＩＴ職員または保守員のいずれかであるが、本実施例ではＣＩＴ職員がセットするものとして説明する。【００３４】
ステップ８０１：はじめにＡＴＭ１０９は、背面パネル４０５にされたＣＩＴ職員の操作により、ＡＴＭ保守員モードに入り、「カセット交換」という命令を選択する。【００３５】
ステップ８０２：ＡＴＭ１０９には複数のインテリカセット１０７がセットされるので、このインテリカセット１０７は既存のどのインテリカセット１０７と入れ替えるのかを背面パネル４０５にて選択される。選択後、セット検知センサ４１７がインテリカセット１０７のセットを検知し、その情報をＡＴＭ１０９に送信することでＡＴＭはカセットのセットを検知する。カセットが正しくセットされていればステップ８０３へ進む。【００３６】
ステップ８０３：ＡＴＭ１０９のハードディスク４０６には、銀行ＩＤ、ＡＴＭＩＤが記憶されているため、ＡＴＭ１０９は、インテリカセット１０７と通信を行いＲＦＩＤ１０８内にあるカセット固有情報３０１に記憶されている銀行ＩＤと一致するかどうかを確認する。一致していればステップ８０４へ、一致していなければステップ８０６へ進む。【００３７】
ステップ８０４：上記ステップと同様、このＡＴＭ１０９はこのインテリカセット１０７がセットされるべきＡＴＭ１０９であるかどうかをＡＴＭＩＤが一致するかをチェックする。一致すればステップ８０５へ、一致しなければステップ８０７へ進む。【００３８】
ステップ８０５：次にＡＴＭ１０９はカセット固有情報３０１内にある機器認証結果を確認する。機器認証がＯＫであれば、何も不正はなかったと判断し、ステップ８１０へ進む。機器認証がＯＫでなければ、指定されたＣＩＴ職員以外の人によって搬送されてきたか（前記したステップ１５を通過していない）、または、搬送途中でインテリカセット１０７のふたが開けられたことを意味し、ステップ８０８へ進む。【００３９】
ステップ８０６：銀行ＩＤが一致していない場合、ＡＴＭ１０９はセットされた他の銀行のインテリカセット１０７は使えないため取り外すことが必要な旨を背面パネル４０５に表示する。【００４０】
ステップ８０７：ＡＴＭＩＤが一致していない場合、ＡＴＭ１０９は本来セットすべきＡＴＭ１０９以外にはセットできないため取り外すことが必要である旨を背面パネル４０５に表示する。【００４１】
ステップ８０８：機器認証結果がＮＧである場合は、ＡＴＭ１０９は指定されたＣＩＴ職員以外の人物がカセットをセットしようとしているか、或いは、搬送途中でインテリカセット１０７のふたが開けられた可能性があるとしてこのインテリカセット１０７はセットさせないように取り外すことが必要な旨を背面パネル４０５に表示する。なお、この場合ＡＴＭ１０９はカセット状態遷移テーブル３０２を調べて、イベントに「カセット開」と記録されていれば、「カセットが開けられたのでセットできません」と表示し、「カセット開」というイベントが記録されていなければ、「指定されたＣＩＴ職員でなければセットできません」、と表示してもよい。【００４２】
ステップ８０９：各ステップで問題が発生したインテリカセット１０７が取り外されたことを確認する。具体的にはインテリカセット１０７のセット検知センサ４１７がＯＦＦになり、インテリカセット１０７と通信ができなくなることで取り外されたと認識する。【００４３】
ステップ８１０：不正のないインテリカセット１０７が計画どおりの銀行のＡＴＭ１０９にセットされている旨がＡＴＭ１０９より、インテリカセット１０７の状態遷移テーブル３０２のイベントに「ＡＴＭセット」と記憶し、セットされた日時、セットした人のＩＤ（操作人ＩＤ）、セットされたＡＴＭＩＤを書き込む。なお、セットした人のＩＤは、カセット固有情報３０１のＣＩＴＩＤをコピーするか、セットしているＣＩＴ職員にＩＤをパスワードとともに入力してもらってもよい。【００４４】
ステップ８１１：このＡＴＭ１０９にセットすべき全てのインテリカセット１０７をセットしたかを確認し、まだ残っていればステップ８０２へ戻り、全てのインテリカセット１０７がセットされていればステップ８１２へ進む。
ステップ８１２：ＡＴＭ１０９を再起動し、運用を再開する。【００４５】
本実施例では上記するフローによってインテリカセット１０７をＡＴＭ１０９にセットするが、さらにセキュリティレベルをあげるためには、現金センタ１０１または情報システムセンタ１１０からＡＴＭ１０９にインテリカセット１０７をセットするＣＩＴＩＤをネットワーク経由で伝えておき、セットの際、銀行ＩＤ、ＡＴＭＩＤをチェックする。その後、現金センタ１０１または情報システムセンタ１１０から得た情報のＣＩＴＩＤとインテリカセット１０７内のカセット固有情報３０１に格納してあるＣＩＴＩＤが一致するかどうかを確認し、さらに交換しようとしている職員に、ＣＩＴＩＤ、パスワードを入力させて本人確認を実施する、としてもよい。【００４６】
一般的には一人のＣＩＴ職員が複数の銀行のカセットを取り扱うため、カセットが混在し、新規にＡＴＭを導入したのに、古いカセットがセットされる、という不満をもつ銀行があった。しかし、本実施例の構成によると他行のカセットはセットできないので、複数の銀行間でカセットが間違われることはないという効果がある。また、どのカセットをどのＡＴＭにセットするかを事前に指定できるので、間違ったカセットをセットしてしまうのを防止できる効果がある。さらに、カセット毎に運搬するＣＩＴ職員のＩＤを設定し、他の人が運搬してもＡＴＭにはセットできないので、不正防止に繋がるという効果がある。なお、銀行ＩＤ、ＡＴＭＩＤ、ＣＩＴＩＤを確認する必要がない場合、これらのチェックを外せば、セキュリティは下がるが利便性を向上させることができることは言うまでもない。
Ｄ．ＡＴＭ１０９の動作（取引時）
次にインテリカセット１０７をＡＴＭ１０９にセットした後の動作について説明する。ＡＴＭ１０９は、インテリカセット１０７のＲＦＩＤ１０８にある情報をＡＴＭ１０９内のハードディスク４０６にコピーし、コピーした情報に基づいて図９から図１２に示すテーブルを生成する。その後の取引は生成したハードディスク４０６内のテーブルを更新する。ＡＴＭ１０９内に生成されたテーブルを図９から図１２について説明する。【００４７】
図９はカセット管理テーブル９０１を示している。ＡＴＭ１０９にセットされたインテリカセット１０７内のＲＦＩＤ１０８に記憶してあるカセット内紙幣記番号テーブル３０３に基づいて作成する。図９に示すカセット管理テーブル９０１の例では、このＡＴＭ１０９には３つのインテリカセットがセットしてあることを示し、各カセットには１００ドル紙幣、５０ドル紙幣、２０ドル紙幣がそれぞれ８５０枚、７２５枚、６３０枚装填されていること、及び各紙幣の記番号を記憶されていることを示している。【００４８】
図１０は１つのインテリカセット１０７がセットされた直後の入出金管理テーブル１００１を示している。ＡＴＭ１０９には複数のインテリカセット１０７がセットされるので、カセットの数だけ、本テーブルは生成される。図１０の例では、カセットＩＤがαであるインテリカセット１０７には８５０枚の１００ドル紙幣がＡ２という人によって装填されたことを示し、その８５０枚の紙幣記番号を記憶している。なお、紙幣は出金される順番に記載されている。即ち、ＩＤ００１の紙幣から出金される。【００４９】
図１１は、図１０に示す状態から（１）３枚出金、（２）２枚入金、（３）３枚出金の取引が行われた後の入出金紙幣管理テーブル１００１を示している。具体的には、「（１）Ｂ１がＩＤ００１〜ＩＤ００３の３枚の紙幣を出金した。（２）Ｂ２がＩＤ８５１、ＩＤ８５２の２枚の紙幣を入金した。（３）Ｂ３がＩＤ８５２、ＩＤ８５１、ＩＤ００４の３枚の紙幣を出金した。」という取引が実施された後の状態を図１１は示している。この入出金管理テーブル１００１を参照することで、インテリカセット１０７に格納されているすべての紙幣が誰によって出金されたのか、装填されたのか、入金されたのか、という事項を知ることが可能となり、紙幣管理を行うことができる。【００５０】
図１２は、インテリカセット毎に格納してある紙幣の格納順に記憶した格納紙幣管理テーブル１２０１を示している。図１２に示す例は上記の（１）の取引によってＩＤ００１〜ＩＤ００３がなくなった。（２）の取引によってＩＤ８５１、ＩＤ８５２の２枚の紙幣が入金された後の状態を示した例である。ＡＴＭに搭載される紙幣カセットは一般的にＬａｓｔ ＩＮ Ｆｉｒｓｔ ＯＵＴの機構を採用しているため、インテリカセット１０７についてもこの機構を採用する。本実施例では紙幣は、ＩＤ８５２、ＩＤ８５１、ＩＤ００４の順に格納されているので次に３枚の出金取引（例えば（３）の取引）があれば、これら３枚の紙幣が出金される。【００５１】
また、記番号が認識できない場合や、誤認識する場合もありうる。このような事態に備えて、紙幣の画像データを入出金管理テーブルに記録しておくこともできる。認識できなかった紙幣のみ画像データを記録する、という手法もあるが、誤認識したことはその時は分からないため、全紙幣の画像データを記録することでセキュリティを向上させることができる。例えば、利用者から偽札が出金された、という申告があった場合、紙幣の画像データがあれば、記番号を誤認識した場合であっても、その画像データからＩＤを検索し、誰が入金したのかを特定できる可能性がより高くなる。【００５２】
また、利用者のＩＤをそのまま残すことはセキュリティ上問題である、という考えもある。その場合は特定の演算（暗号化）を実施してその数値を記録するとしてもよい。またはＩＤの上記の桁と下位の桁を逆から記憶しておいてもよい。例えばＩＤ＝１２３４５の場合、ＩＤ＝５４３２１と記憶しておけばセキュリティは高まり、真のＩＤに戻すことも容易である。また、各管理テーブルは各種の取引が終了したタイミング等で更新されることはいうまでもない。なお、カセット管理テーブル９０１、入出金管理テーブル１００１、格納紙幣管理テーブル１２０１を合わせて紙幣管理情報と呼ぶこともできる。
Ｅ．ＡＴＭ１０９の動作（精査時）
次にＡＴＭ１０９の精査時の動作について説明する。本実施例では前記したテーブルを用いることで現金の精査時に、紙幣の記番号を１枚ずつ認識し、格納紙幣管理テーブル１２０１の内容と矛盾がないことを確認できる。仮に、格納紙幣管理テーブル１２０１にない紙幣の番号を認識すれば、紙幣をすり返られた可能性が考えられる。逆に格納紙幣管理テーブル１２０１にある紙幣の番号がなければ、紙幣が抜き取られた可能性があり、どちらの場合も不正行為を検知可能で、対応策を講じることが可能となる。【００５３】
ＡＴＭ１０９の稼動終了後、銀行員がＡＴＭ１０９内の残高を精査する処理フローについて図１３を用いて説明する。
ステップ１３０１：ＡＴＭ１０９は銀行員により背面パネル４０５の操作を受け付けるとＡＴＭ保守員モードに入り、「自動精査」が選択されると自動精査処理を始める。
ステップ１３０２：銀行員により精査するインテリカセット１０７が選択され、用意された空のインテリカセットをセットするために、精査しないインテリカセット１０７が一旦外され、その場所に空のインテリカセット１０７をセットされる。【００５４】
ステップ１３０３：ＡＴＭ１０９は、精査するインテリカセット１０７から紙幣を１枚繰り出し、紙幣処理部４０２へ搬送する。
ステップ１３０４：紙幣処理部４０２内の鑑別部４１０は送られてきた紙幣の金種を鑑別するとともに、記番号を認識し、ＡＴＭ１０９内のメモリに書き込む。鑑別された紙幣は空のインテリカセット１０７に搬送される。【００５５】
ステップ１３０５：ＡＴＭ制御部４０１はハードディスク４０６内に記憶されている格納紙幣管理テーブル１２０１を参照し、今認識した紙幣の記番号が格納紙幣管理テーブル１２０１の中に存在するか否かを判断する。存在すればステップ１３０６へ、存在しなければステップ１３０７へ進む。また、このとき格納紙幣管理テーブル１２０１にチェックフラグを１列設け、初期値に０を設定し、その紙幣存在が確認できればそのフラグを１にする。すべての紙幣の記番号を読み終えて、このフラグが０のままの紙幣があれば、その紙幣が何らかの理由により紛失したことが分かる。【００５６】
ステップ１３０６：次に、ＡＴＭ１０９は自動精査しようとしているインテリカセット１０７内すべての紙幣を処理し終わったか否かを判断する。すべての処理が完了していれば、ステップ１３０８へ、まだ終わっていなければステップ１３０３へ戻り、精査処理を継続する。【００５７】
ステップ１３０７：読み取った記番号が格納紙幣管理テーブル１２０１に存在しない場合、今読み取られた紙幣は本来このインテリカセット１０７の中には存在しないはずであることが分る。即ち、誰かによってすり替えられた紙幣である可能性があるため、この記番号を図示しない混在紙幣テーブルに書きこむ。また、混在紙幣テーブルはＡＴＭ１０９からインテリカセット１０７を取り外す処理を行う際に、インテリカセット１０７内にあるＲＦＩＤ１０８の中に記憶される。【００５８】
ステップ１３０８：ＡＴＭ１０９は格納紙幣管理テーブル１２０１に記憶されている紙幣すべての存在を確認できたか否かをチェックする。格納紙幣管理テーブル１２０１に設けたチェックフラグを見て、すべて１になっていれば存在を確認できたと判断し、そのフラグがまだ０のままの紙幣があれば、その存在が確認できなかったことを示している。存在が確認できればこの処理は終了し、１枚でも存在が確認できなければステップ１３０９へ進む。【００５９】
ステップ１３０９：ＡＴＭ１０９は存在が確認できなかった記番号を図示しない紛失紙幣テーブルに記録する。このテーブルも混在紙幣テーブルと同様、インテリカセット取り外し処理の際にＲＦＩＤ１０８の中に記憶させる。【００６０】
すべての紙幣の存在を確認でき、余計な紙幣が混在していなければ、問題なし、として、空のインテリカセット１０７に搬送したすべての紙幣を元のインテリカセット１０７に戻す。仮に、あるべき紙幣がなかった場合、それは誰によって装填または入金された紙幣かを入出金紙幣管理テーブル１００１にて確認し、取引履歴からインテリカセット１０７に格納された日時を調べる。次に、カセット状態遷移テーブル３０２を参照し、それ以降に「カセット開」というイベントが発生していないかを調査をする。この調査によっていつカセットが開けられたかが分かるので、その日時の監視カメラや勤務記録等で誰がカセットを開けたのか推測することが可能となる。【００６１】
逆にあるはずのない紙幣がインテリカセット１０７に存在した場合、これはカセットを開けられて、紙幣を交換された可能性が高いことを示している。そのため同様の方法で調査をすることで、誰が開けたのかを推測することが可能となる。なお本実施例では、ＡＴＭ１０９内にあるインテリカセット１０７を精査することを述べたが、現金センタ１０１に持ち帰って、他のＡＴＭで精査してもよいことは言うまでもない。
Ｅ．ＡＴＭ１０９の動作（取外時）
ある程度の期間運用される、または残高が少なくなったインテリカセット１０７はＣＩＴ職員により、現金センタ１０１に搬送され、現金の再装填が行われる。ＡＴＭ１０９からインテリカセット１０９を取り外す取外処理について説明する。【００６２】
ステップ２１：現金センタ１０１または情報システムセンタ１１０はＡＴＭ１０９に対して、カセットを取り出すＣＩＴ職員のＩＤを送信する。
ステップ２２：ＡＴＭ１０９はＣＩＴ職員により背面パネル４０５の操作を受け付けるとＡＴＭ保守員モードに入り、「カセット取出し」を選択されると、ＣＩＴ職員のＣＩＴＩＤとパスワードを入力されるのを待つ。
ステップ２３：ＡＴＭ１０９は入力されたＣＩＴＩＤを事前に現金センタ１０１または情報システムセンタ１１０から送られたＩＤが一致することを確認し、カセットが取り出されることを許可する。
ステップ２４：背面パネル４０５は現金センタ１０１または情報システムセンタ１１０からモバイル端末２１１に配信された「取出し暗号キー」の入力を受け付ける。【００６３】
ステップ２５：「取出し暗号キー」が一致すれば、ＡＴＭ１０９はインテリカセット１０７のロックを開錠し、取出せる状態にする。また、カセット状態遷移テーブル３０２に、イベントとして「カセット取出し」、インテリカセット１０７がＡＴＭ１０９から取出された日時、取出したＣＩＴＩＤ、取出されたＡＴＭＩＤ、を書き込む。図３の例では、２０１３年１０月２０日８時３０分にＩＤがＡ３という人がＡＴＭ００１のＡＴＭからこのインテリカセット１０７を取出したことを記録している。また、ＡＴＭ１０９の制御部はハードディスク４０６に記憶された情報に基づいてＲＦＩＤ１０８に記録されるカセット内記番号テーブル３０３を更新させ、さらに、入出金管理テーブル１００１、格納紙幣管理テーブル１２０１、混在紙幣テーブル、紛失紙幣テーブルを記録させる。【００６４】
以上のように本実施例では、上記に示した構成を採用することで、各インテリカセットはどの銀行のどのＡＴＭに誰によってセットされるべきかを記憶し、カセットセット時に確認し、運搬中にカセットが開けられた場合は、ＡＴＭにセットされても稼動しないので、不正行為の抑止力があるという効果を有している。また、運用中に何者かにより不正なカセットの開閉があった場合でも、任意のタイミング（本実施例では精査処理の際）でその紙幣があるべき紙幣であるのか否か、または、あるはずのない紙幣であるのか否かを判別でき、その紙幣を入れた人物も特定可能であるため、不正行為の抑止力がある。【００６５】
また、ハードディスク４０６に記憶された情報を用いてＲＦＩＤ１０８の情報を更新するタイミングをインテリカセット１０７の取出し時として説明をしたが、運用中の所定のタイミング（例えば、精査処理後や障害対応後等）に更新するようにしてもよい。取外し以外のタイミングで更新する事により、取外し処理の際に、カセット取り外し処理にかかる時間を短縮することができる。
【実施例２】
【００６６】
本実施例では、インテリカセット１０７が開けられた場合に誰が開けたのかを特定する方法について説明する。なおインテリカセット１０７以外の構成は実施例１と同様であるため説明は省略する。【００６７】
図１４は、実施例２におけるＡＴＭ１０９のブロック図である。実施例１との違いは、図４のブロック図に非接触ＩＣカードＲＷ（リーダライタ）４２０を追加した図である。インテリカセット１０７が運搬中は非接触ＩＣカードＲＷ４２０には充電電池４１８から電源は供給され、ＡＴＭ１０９にセットされた後は、ＡＴＭ本体から電源は供給される。ＣＩＴ職員は非接触ＩＣカードを身分証明書または名札として携帯し、身につけることが義務づけられている会社が多い。本実施例ではインテリカセット１０７のふたが開けられた場合、このＣＩＴ職員が持つ非接触ＩＣカードを非接触ＩＣカードＲＷ４２０が読むこととする。図１５を用いてインテリカセットを開けた者を特定する処理フローを説明する。【００６８】
ステップ１５０１：カセット制御部４１２はインテリカセット１０７が開けられたことを検知したかどうか否かをループしながらイベント発生を待つ。インテリカセット１０７が開けられたことを検知すれば、ステップ１５０２に進む。なお、インテリカット１０７が開けられたことを検知する検知方法は図５、図６で説明したとおりである。
ステップ１５０２：カセットが開けられたことを検知した場合、インテリカセット１０７のカセット制御部４１２は非接触ＩＣカードＲＷ４２０の電源をＯＮにする。
ステップ１５０３：次に非接触ＩＣカードＲＷ４２０は非接触ＩＣカードが周囲にないかを予め設定されたタイムアウトになるまで探す。タイムアウトになればステップ１５０７へ進み、タイムアウトになっていなければステップ１５０４に進む。【００６９】
ステップ１５０４：非接触ＩＣカードＲＷ４２０は非接触ＩＣカードを検知したかどうかか確認する。検知していればステップ１５０５へ進み、検知していなければ、ステップ１５０３のループに戻る。【００７０】
ステップ１５０５：非接触ＩＣカードを検知した場合、非接触ＩＣカードＲＷ４２０はその非接触ＩＣカードと通信し、非接触ＩＣカードに記録されているデータを読む。【００７１】
ステップ１５０６：カセット状態遷移テーブル３０２に、イベントとして「カセット開」、その日時、操作した人として上記ステップで読んだＩＤ、ＡＴＭＩＤ（運搬中であれば「−」）を書き込む。また、カセット固有情報３０１の機器認証結果＝「ＮＧ」と書き込む。【００７２】
ステップ１５０７：非接触ＩＣカードを検知できなかったためＩＣカセットを開けた人を特定としてカセット状態遷移テーブル３０２に、イベントとして「カセット開」、その日時、操作した人のＩＤ＝「−」、ＡＴＭＩＤ（運搬中であれば「−」）を書き込む。また、カセット固有情報３０１の機器認証結果＝「ＮＧ」と書き込む。【００７３】
ステップ１５０８：カセット開検知処理が終わったため、非接触ＩＣカードＲＷ４２０の電源をＯＦＦにする。【００７４】
以上のように本実施例では、上記に示した構成を採用することで、インテリカセット１０７が運搬中にふたを開けられた場合に、運搬中のＣＩＴ職員の非接触ＩＣカードを読んで、誰がカセットを開けたことを記録できる。これにより不正があった場合の原因究明ができる、及び、不正の抑制という効果がある。
【実施例３】
【００７５】
第３の実施例では、ＡＴＭ運用中にインテリカセット１０７が不正に開けられた場合、再起動時にカセット開を検知し、そのインテリカセット１０７を取り外さないと運用再開させない方法について説明をする。実施例１と同じ構成ついては重複する説明となるため省略する。【００７６】
図１６に本実施例のカセット状態遷移テーブル３０２を示す。図３と異なるのは「開手続」という列を追加した点である。ＡＴＭの運用中、ＡＴＭ１０９内に紙幣がジャムで詰まった場合、銀行員、保守員はＡＴＭ１０９を開錠することがある。また、インテリカセット１０７から排出しようとして詰まった紙幣をカセットのふたを開けて除去することもある。このような場合は、正当な手順に則って、インテリカセット１０７のふたを開ける。【００７７】
正当な手順に沿ってインテリカセット１０７のふたを開ける場合について説明する。はじめに背面パネル４０５から保守員モードに入る。通常、インテリカセット１０７を開ける必要がある場合には、ＩＤ、パスワードを要求し、保守員または銀行員のＩＤ、及びパスワードを入力し、許可された人しかインテリカセット１０７を開けられない。この場合、インテリカセット１０７を開ければ、図１５の処理フローで説明したようにＩＤが特定されるが、正規の手続きに則ってふたを開けた場合は、カセット状態遷移テーブル３０１の「開手続」の欄に「○」を記録する。【００７８】
例えば、図１６に示す例では、２０１３年１０月１３日１４時４０分と２０１３年１０月１５日１８時にカセットが開けられたことが記録されている。前者はＩＤがＡ４という人によって正規の手続きに則って開けられ、後者はＩＤがＡ５という人によって不正に開けられたことを示している。なお、本実施例では正規の手続きが取られたか取られなかったにかかわらず、カセット固有情報３０１の機器認証結果には「ＮＧ」と記録することとする。【００７９】
次に、図１７を用いてＡＴＭ立上げ時にカセットが不正に開けられていないかを確認する処理フローについて説明する。
ステップ１７０１：銀行員によりＡＴＭ１０９の電源がＯＮされる。
ステップ１７０２：ＡＴＭ１０９は、カセット固有情報３０１の機器認証結果をチェックする。
ステップ１７０３：機器認証結果が「ＯＫ」であれば、ステップ１７０９へ進み、そうでなければステップ１７０４へ進む。
ステップ１７０４：機器認証結果が「ＯＫ」でない場合、カセット状態遷移テーブル３０２を参照し「カセット開」というイベントがなかったかを探す。あればステップ１７０５へ、なければステップ１７０６へ進む。【００８０】
ステップ１７０５：「カセット開」のイベントがあった場合、次にそれは正規の手続きに則って開けられたのか否かを確認する。開手続に「○」「×」どちらが記載されているかで判断する。「○」と記録されていれば正規な手続きで開けられたのであればステップ１７０９へ、「×」と記録されていればステップ１７０７へ進む。「○」と「×」の両方があれば、「×」を優先してステップ１７０７へ進む。【００８１】
例えば図１６の例では、１０月１３日１４時４０分、Ａ４というＩＤの人が正規な手続きでカセットを開け、１０月１５日１８時００分、Ａ５というＩＤの人が正規な手続きに則らずにカセットを開けたことを示している。前者の場合、ステップ１７０９へ、後者の場合、ステップ１７０７へ進む。【００８２】
ステップ１７０６：このステップに遷移した場合、「カセット開」という記録は見つからないが、機器認証＝「ＮＧ」であるため、このカセットに何らかの不具合があったか、または、正規のＣＩＴ職員によって運ばれていないのに間違ってセットされてしまった、と判断し、「このカセットは不具合があるので、取り外してください」というメッセージと該当するカセットを背面パネル４０５に表示し、どのカセットを取り外すべきかを示す。【００８３】
ステップ１７０７：不正に開けられたことを検知したため「このカセットは開けられました。取り外してください」というメッセージと該当するカセットを背面パネル４０５に表示し、どのカセットを取り外すべきかを示す。【００８４】
ステップ１７０８：インテリカセット１０７が取り外されたことを確認する。インテリカセット１０７が取り外されたか否かの検知は実施例１と同様である。【００８５】
ステップ１７０９：すべてのカセットを確認したかをチェックする。すべて確認が終わればステップ１７１０へ、まだ確認するカセットが残っていれば、ステップ１７０２に戻る。【００８６】
ステップ１７１０：すべてのカセットに問題がなかったか、または問題のあったカセットが取り外されたことが確認できたため、ＡＴＭを起動させ、運用を開始する。【００８７】
以上のように本実施例では、上記に示した構成を採用することで、ＡＴＭ運用中やＡＴＭ運用後にカセットが開けられた場合、電源がＯＮし再起動する前に、正規な手続きに則ってカセットを開けたのか、または不正に開けたのかを検知し、前者の場合は運用を続け、後者の場合はそのカセットを取り外さなければ運用できなくする。この構成により、不正を早期に検知できる効果がある。また、ＡＴＭを操作するエンドユーザに不正に交換された紙幣を出金しないため迷惑をかけないという効果もある。
【実施例４】
【００８８】
正規な手続きを取ってインテリカセット１０７を開けた場合でも、紙幣を抜き取ったり、自分の所有している偽札をカセット内の真券と交換したりすることも考えられる。このような不正に対応するためには出金取引の時に、１枚ずつ紙幣の記番号を確認し、格納紙幣管理テーブル１２０１の所定の順序にしたがってあるべき紙幣が出金されることを確認すれば、不正を検知することが可能となる。第４の実施例では出金時に１枚ずつの紙幣記番号をチェックする方法を説明する。図１８にその処理フローを示す。なお、実施例１と構成は同様であるため説明を省略する。【００８９】
ステップ１８０１：ＡＴＭ１０９は顧客操作部に、初期画面を表示する。
ステップ１８０２：利用者により出金取引が選択される。
ステップ１８０３：格納紙幣管理テーブル１２０１から出金される順に所定の枚数(例えば１０枚)の記番号を候補紙幣テーブル（図示せず）としてＡＴＭ１０９のメモリ上に作成し、最初に出金される紙幣の記番号を本テーブルの最上位に記録し、その記番号にポインタを設定する。
ステップ１８０４：ＡＴＭ１０９は、インテリカセット１０７から１枚の紙幣を繰り出し、紙幣処理部４０２の鑑別部４１０は繰り出された１枚の紙幣の記番号を読む。【００９０】
ステップ１８０５：候補紙幣テーブルには、出金される順に所定の枚数の紙幣の記番号が記録されている。ステップ１８０４で繰り出された紙幣の記番号と候補紙幣テーブルのポインタが示した紙幣の記番号が一致するかどうかを確認する。一致すればステップ１８０６へ、一致しなければステップ１８０７へ進む。【００９１】
なお、「一致しない」とは２つの場合がある。１つは認識した記番号は候補紙幣テーブルのすべての記番号を調べても見当たらないという場合である。この場合、あるはずのない紙幣が紛れ込んでいる、と判断する。一方、別の場合も考えられる。例えば１枚目に繰り出された紙幣の記番号は、候補紙幣テーブルの２枚目の紙幣だった場合、１枚目の紙幣がなくなっていることが分かる。この場合、あるべき紙幣が紛失した、と判断する。【００９２】
ステップ１８０６：紙幣処理部４０２内のスタッカ４１１に搬送し、金額をカウントして出金準備に備える。
ステップ１８０７：鑑別した紙幣はあるはずのない紙幣か否かを判断する。ステップ１８０４で認識した紙幣の記番号が候補紙幣テーブルのすべての記番号の中にあるか否かを判断する。候補紙幣テーブルの中になければ、この紙幣はあるはずのない紙幣が紛れ込んでいる、と判断し、ステップ１８０８へ進む。一方、ステップ１８０４で認識した紙幣の記番号が候補紙幣テーブルに中に見つかれば、この紙幣はあるはずの紙幣であるので、ステップ１８１２へ進む。【００９３】
ステップ１８０８：鑑別された紙幣はあるはずのない紙幣なので、顧客に出金するわけにはいかない。混在紙幣テーブル（図示せず）に記録するとともに情報システムセンタ１１０に報告する。なお、混在紙幣テーブルは、あるはずのない紙幣が発見された場合にＡＴＭ１０９内のハードディスク４０６内に作成する。この後の処理は例えば３つ考えられる。各処理案については銀行の考えでいずれかの案を運用するものとする。【００９４】
ステップ１８０９：その紙幣をリジェクトボックス４０４に格納し、取引を続ける（案１）。
ステップ１８１０：その紙幣をリジェクトボックス４０４に格納し、この取引は不成立とし、このインテリカセット１０７は縮退させて、ＡＴＭ１０９の稼動は継続する（案２）。
ステップ１８１１：この取引は不成立、ただちに取引停止として、情報システムセンタ１１０に報告する。場合によっては銀行員がただちにこのインテリカセット１０９の内容を精査する。【００９５】
ステップ１８１２：ステップ１８０７でこの紙幣は候補紙幣テーブルに中に存在することが分かった。ポインタの示した紙幣を含め、候補紙幣テーブルを参照し、無くなった紙幣の記番号を、紛失紙幣テーブルに記録し、紛失した紙幣の記番号は該テーブルから削除し、その枚数分、次の出金されるはずの紙幣の記番号を該テーブルの下位に追加する。紛失があったことを情報を情報システムセンタ１１０に報告し、候補紙幣テーブルのポインタを記番号が一致した紙幣に移動する。例えば図１２の例では、１枚目にＩＤ８５２が繰り出されるはずなのに、認識した記番号がＩＤ８５１であれば、ＩＤ８５２は紛失したと判断し、ポインタをＩＤ００４に進める。なお、紛失紙幣テーブルもＡＴＭ１０９内のハードディスク４０６内に作成する。【００９６】
ステップ１８１３：必要な枚数を繰り出し、鑑別も終わり、出金準備ができたか否かを判断する。出金準備ができていればステップ１８１４へ、そうでなければステップ１８１５へ進む。
ステップ１８１４：出金準備が揃ったので出金し、入出金紙幣管理テーブル１００１、格納紙幣管理テーブル１２０１を更新し、処理は終了し、初期画面に戻る。または、ＡＴＭの取引を終了する。
ステップ１８１５：まだ、出金すべき紙幣の準備は終わっていないので、もう１枚紙幣を繰り出す前に、候補紙幣テーブルのポインタを１つ移動し、出金準備ができた紙幣の記番号を候補紙幣テーブルから除き、次の紙幣の記番号を最下位に加える。その後、ステップ１８０４へ戻る。【００９７】
以上のように本実施例では、上記に示した構成を採用することで、出金取引で紙幣の紛失や不正な紙幣を見つけることができ、早期の問題の発見と対応策が可能となる。【００９８】
なお、本発明は上記した実施例に限定されるものではなく、様々な変形例が含まれる。例えば、本発明についてＡＴＭに基づいて説明を行ったが、ＡＴＭに限らず現金の取引を行う装置（例えばＣＤ）であっても本発明を実施することができる。【００９９】
また、例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【０１００】
１０１・・・現金センタ、１０２・・・支店、１０３・・・ソータ、１０４・・・メモリ、１０５・・・ＰＣ、１０６・・・紙幣、１０７・・・インテリカセット、１０８・・・ＲＦＩＤ、１０９・・・ＡＴＭ、１１０・・・情報システムセンタ、２０１・・・紙幣投入口、２０２・・・搬送部、２０３・・・鑑別部、２０４・・・切替ゲート、２０５・・・出金口、２０６・・・出金口、２０７・・・出金口、２０８・・・切替ゲート、２０９・・・制御部、２１０・・・非接触ＩＣカードＲＷ、２１１・・・モバイル端末、３０１・・・カセット固有情報、３０２・・・カセット状態遷移テーブル、３０３・・・カセット内紙幣記番号テーブル
４０１・・・ＡＴＭ制御部、４０２・・・紙幣処理部、４０３・・・入出金口、４０４・・・リジェクトボックス、４０５・・・背面パネル、４０６・・・ハードディスク、４０７・・・制御部、４０８・・・通信部、４０９・・・搬送部、４１０・・・鑑別部、４１１・・・スタッカ、４１２・・・カセット制御部、４１３・・・通信部、４１４・・・赤外線検知センサ、４１５・・・紙幣格納部、４１６・・・搬送部、４１７・・・セット検知センサ、４１８・・・充電電池、４１９・・・ＬＥＤ、４２０・・・非接触ＩＣカードリーダライタ、５０１・・・赤外発光部、５０２・・・赤外受光部、５０３・・・遮光部、９０１・・・カセット管理テーブル、１００１・・・入出金紙幣管理テーブル、１２０１・・・格納紙幣管理テーブル、
【図１】
2015114746.tif 000003
【図２】
2015114746.tif 000004
【図３】
2015114746.tif 000005
【図４】
2015114746.tif 000006
【図５】
2015114746.tif 000007
【図６】
2015114746.tif 000008
【図７】
2015114746.tif 000009
【図８】
2015114746.tif 000010
【図９】
2015114746.tif 000011
【図１０】
2015114746.tif 000012
【図１１】
2015114746.tif 000013
【図１２】
2015114746.tif 000014
【図１３】
2015114746.tif 000015
【図１４】
2015114746.tif 000016
【図１５】
2015114746.tif 000017
【図１６】
2015114746.tif 000018
【図１７】
2015114746.tif 000019
【図１８】
2015114746.tif 000020
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
紙幣を収納する収納部を有する紙幣カセットと、収納する紙幣の情報を記憶する第１の記憶部と、前記紙幣カセットと通信を行う第１の通信部と、前記第１の通信部と前記第１の記憶部とを制御する第１の制御部と、を備え、
前記紙幣カセットは、前記第１の通信部および外部装置と通信する第２の通信部と、前記収納部に前記紙幣を収納する際に前記第２の通信部を介して前記外部装置から受信した前記収納部に収納された前記紙幣の固有情報、前記紙幣の収納順序およびカセット固有情報をカセット管理情報として記憶する第２の記憶部と、前記紙幣カセットを制御する第２の制御部とを有し、
前記紙幣カセットを設置する際、前記第１の制御部は前記第１の通信部を介して前記第２の制御部から前記カセット管理情報を受信することを特徴とする現金自動取引装置。
【請求項２】
請求項１に記載の現金自動取引装置であって、
前記紙幣カセットは、前記収納部の開閉を検知する開閉検知部を有し、
前記カセット管理情報は、前記紙幣カセットの開閉を含む当該紙幣カセットに発生した状態遷移情報と前記紙幣カセットを搬送する者の識別情報とを含み、
前記第１の制御部は、前記第１の通信部を介して前記外部装置から受信した前記識別情報を前記第１の記憶部に記憶し、
前記紙幣カセットを設置する際、前記第１の制御部は、前記状態遷移情報を参照し、カセット開閉の有無と、前記第１の記憶部及び第２の記憶部に記憶された前記識別情報とを照合することを特徴とする現金自動取引装置。
【請求項３】
請求項２に記載の現金自動取引装置であって、
係員への操作案内の表示と前記係員からの入力を受け付ける係員表示入力部と、
前記紙幣カセットから繰り出される紙幣を鑑別する鑑別部と、を備え、
前記第１の制御部は、受信した前記カセット管理情報と、取引内容と、取引を行った者の情報とを対応づけ、取引毎に更新される紙幣管理情報を前記第１の記憶部に記憶し、
前記係員表示入力部より前記紙幣カセットの内容を確認する精査入力がされた場合、前記第１の制御部は、前記第２の制御部に前記紙幣カセットより収納された紙幣を繰り出させ、前記繰り出させた紙幣を前記鑑別部に鑑別させ、前記紙幣管理情報と前記鑑別した紙幣の情報を照合し、前記鑑別した紙幣が前記紙幣カセットに収納されている紙幣か否か、または、前記鑑別した紙幣の収納順番が異なっているか、少なくともいずれか１つを判別することを特徴とする現金自動取引装置。
【請求項４】
請求項３に記載の現金自動取引装置であって、
前記鑑別した紙幣がカセットに収納されていない紙幣である場合または収納順番が異なっているかの少なくともいずれか１つを判別した場合、前記第１の制御部は、前記第２の制御部に前記状態遷移情報を送信させ前記収納部の開閉を確認し、前記収納部の開閉が確認された場合、前記収納部の開閉に関する情報を前記係員表示入力部に表示させることを特徴とする現金自動取引装置。
【請求項５】
請求項２〜４のいずれか１つに記載の現金自動取引装置であって、
前記第１の制御部は、当該現金自動取引装置の起動の際に前記第１の通信部を介して、前記状態遷移情報を取得し、前記収納部が開閉されている場合は、前記係員表示入力部に警告画面を表示させることを特徴とする現金自動取引装置。
【請求項６】
請求項３〜５のいずれか１つに記載の現金自動取引装置であって、
前記紙幣カセットに収納された紙幣を出金する際に、前記第１の制御部は、前記格納紙幣管理情報から予め出金する枚数分の情報を取り出し、出金候補情報を作成し、
前記鑑別部により鑑別された出金する紙幣の情報と、前記出金候補情報とを照合し、前記出金候補情報のいずれにもない場合は、混在された紙幣と判断して混在紙幣情報を作成し、前記出金候補情報には該当するが格納順序ではない場合、出金候補の中に紛失した紙幣があると判断し紛失紙幣情報を作成し、前記第１の通信部を介して前記混在紙幣情報または前記紛失紙幣情報を前記外部装置に送信する事を特徴とする現金自動取引装置。
【請求項７】
請求項６に記載の現金自動取引装置であって、
前記鑑別部により出金不能と判別された紙幣を収納するリジェクト庫を備え、
前記第１の制御部は、前記混在された紙幣と判断された紙幣を前記リジェクト庫に格納させ、前記紙幣カセットに収納された次の紙幣を繰り出し取引を継続させることを特徴とする現金自動取引装置。
【請求項８】
請求項６に記載の現金自動取引装置であって、
前記混在紙幣と判断された場合、前記第１の制御部は、前記混在紙幣をリジェクトボックスに搬送させ、当該取引処理は不成立として当該紙幣カセットを用いた取引を実施しないように当該紙幣カセットを縮退させる、または、当該装置の取引を継続させないよう停止処理の実施のうち少なくともいずれか一方の処理を実施することを特徴とする現金自動取引装置。
【請求項９】
請求項６に記載の現金自動取引装置であって、
前記第１の制御部は、所定のタイミングで、前記第１の記憶部に記憶された情報を前記第１の通信部を介して前記第２の記憶部に送信することを特徴とする現金自動取引装置。
【請求項１０】
紙幣を収納する収納部と、
収納する紙幣の情報を記憶する記憶部と、
複数の外部装置と通信を行う通信部と、
前記記憶部と前記通信部とを制御する制御部と、を備え、
前記収納部に紙幣を収納する際、前記制御部は、前記収納部に収納する紙幣の固有情報、収納順序およびカセット固有情報をカセット管理情報として前記通信部を介して前記外部装置から受信し、前記記憶部に記憶させることを特徴とする紙幣カセット。
【請求項１１】
請求項１０に記載の紙幣カセットであって、
前記収納部の開閉を検知する開閉検知部を備え、
前記カセット管理情報は、前記収納部の開閉を含む当該紙幣カセットに発生した状態遷移情報を含み、
前記開閉検知部が開閉を検知した場合、前記制御部は前記記憶部に記憶した前記状態遷移情報に開閉されたことを示す情報を記憶し、前記通信部を介して送信された他の前記外部装置の要求に応じて、前記状態遷移情報を送信することを特徴とする紙幣カセット。
【請求項１２】
請求項１１に記載の紙幣カセットであって、
前記他の外部装置の要求とは、前記外部装置が起動したとき、前記他の外部装置から出金指示を受信したとき、または、前記他の外部装置から精査指示を受信したときのうち少なくとも１つであることを特徴とする紙幣カセット。
【請求項１３】
紙幣を収納する収納部と、収納する紙幣の情報を記憶する記憶部と、他の装置と通信する通信部とを有する紙幣カセットと、
紙幣を鑑別する第１の鑑別部を有し、前記紙幣カセットに紙幣を供給する紙幣排出装置と、
前記紙幣カセットに格納する紙幣を鑑別する第２の鑑別部を有し、鑑別した紙幣を前記紙幣カセットに収納させる紙幣取扱装置と、を備え、
前記紙幣排出装置から前記紙幣カセットに紙幣を収納する際、前記第１の鑑別部を用いて前記紙幣カセットに収納する紙幣の固有情報を読み取り、読み取った前記紙幣の固有情報、前記紙幣カセットに収納する順序、およびカセット固有情報をカセット管理情報として前記通信部を介して前記記憶部に記憶させ、
前記紙幣取扱装置は、前記紙幣カセットに紙幣を収納する際、または前記紙幣カセットから紙幣を出金する際、前記第２の鑑別部を用いて前記紙幣カセットに収納するまたは前記紙幣カセットから出金する紙幣の固有情報を読み取り、読み取った前記紙幣の固有情報と前記紙幣カセットに収納する順番をカセット管理情報として前記通信部を介して前記記憶部に記憶させることを特徴とする紙幣管理システム。
【請求項１４】
請求項１３に記載の紙幣管理システムであって、
前記紙幣カセットを搭載し、顧客との間で紙幣の取引を行う現金自動取引装置を備え、
前記紙幣カセットは、前記現金自動取引装置にセットされた際、前記カセット管理情報を前記通信部を介して前記現金自動取引装置に送信することを特徴とする紙幣管理システム。
【請求項１５】
請求項１４に記載の紙幣管理システムであって、
前記紙幣カセットは、前記収納部の開閉を検知する開閉検知部を備え、前記カセット管理情報は、前記収納部の開閉を含む当該紙幣カセットに発生した状態遷移情報を含み、
前記開閉検知部が開閉を検知した場合、前記紙幣カセットは前記記憶部に記憶した前記状態遷移情報に開閉されたことを示す情報を記憶し、
前記通信部を介して送信された他の前記現金自動取引装置の要求に応じて、前記状態遷移情報を送信することを特徴とする紙幣管理システム。
【国際調査報告】
2015114746.tif 000021
2015114746.tif 000022